(57)【要約】      （修正有）【課題】組立部品を簡略化し、構造が安定し、伝動精密性に影響を与えない車両オドメーター構造を提供する。【解決手段】車両オドメーター１０は、固定フレーム上に回転軸１２及び制御回路１３を含む。回転軸の一端には永久磁石１２１を固定し、別端にはプラグ１２２を連接して伝動ケーブル２０の連接に供する。制御回路は、回路板上にホール部品ＩＣ１３２、一マイクロコントローラー及び一ディスプレイ１３４を設置し、主に伝動ケーブルによって永久磁石を動かして車両の車輪軸に従って回転する。ホール部品ＩＣによって永久磁石の磁極変化をモニタリングし、信号をマイクロコントローラーへ伝送し、マイクロコントローラーの演算によって走行距離を累計し、ディスプレイから外へ距離数を表示する。【選択図】図１
0003161380.tif 000002
【実用新案登録請求の範囲】
【請求項１】
車両オドメーターにおいて、
固定フレームと、
該固定フレーム上に軸設し、該固定フレーム内部に相対する一端には永久磁石を固定し、別端にはプラグを連接して伝動ケーブルに供し、伝動ケーブルによって該永久磁石を動かして車両の車輪軸に従って回転する回転軸と、
該固定フレーム上に設置し、回路板上にはホール部品IC、マイクロコントローラー、ディスプレイ、不揮発性メモリを設置する制御回路を含み、
該ホール部品ICによって該永久磁石の磁極変化をモニタリングし、信号を該マイクロコントローラーへ伝達し、該マイクロコントローラーの演算を経て走行距離を累計し、該ディスプレイによって外へ現距離数を表示すると同時に該不揮発性メモリが距離数を保存記録することを特徴とする車両オドメーター。
【請求項２】
前記回路板上にはエンジンオイル指示灯を設置することを特徴とする請求項１記載の車両オドメーター。
【請求項３】
前記固定フレームは、少なくとも一金属部品から構成されることを特徴とする請求項１記載の車両オドメーター。
【考案の詳細な説明】
【技術分野】
【０００１】
本考案は、車両オドメーター装置に関するもので、特に組立部品を相対して簡素化し、構造が安定し、伝動の正確性に影響を与えない車両オドメーターに係わる。
【背景技術】
【０００２】
公知の車両の走行距離センサー方式は、凡そギア及び伝動ケーブルによって車輪軸を動かし、続いて伝動ケーブルで機械式計測器に伝動し、伝動ケーブルが機械式計測器内の構造を回転させることにより、計測して車両進行の距離を累計、表示するものである。
【０００３】
類似の公知の機械式車両走行距離の測定方法の技術は、難度が高くなく、且つ何処でも見かけるものである。しかし、その構造部品の体積は大きく且つ一定の重量があるため、実際に車体に装着する場合、相当の空間を占める。更に機械式計測器の自身は機械故障を起こしやすい。
【０００４】
更に、その伝動ケーブルの両端はそれぞれ車輪軸のギアの伝動及び計測器内部のギアを動かして回転するため、伝動ケーブル両端の噛合せ箇所が摩耗しやすく、直接その伝動の正確さに影響を与える。
【考案の概要】
【考案が解決しようとする課題】
【０００５】
解決しようとする問題点は、構造部品が大きく相当の場所を占め、伝動ケーブルの噛合せ箇所は摩耗しやすく、その伝動の正確さに影響を与えやすい点である。
【課題を解決するための手段】
【０００６】
本考案は、固定フレーム上に回転軸及び制御回路を含む。回転軸の一端には永久磁石を固定し、別端にはプラグを連接して伝動ケーブルの連接に供する。制御回路は、回路板上にホール部品IC、マイクロコントローラー及びディスプレイを設置し、主に伝動ケーブルによって永久磁石を動かして車両の車輪軸に従って回転する。ホール部品ICによって永久磁石の磁極変化をモニタリングし、信号をマイクロコントローラーへ伝送し、マイクロコントローラーの演算によって走行距離を累計し、ディスプレイから外へ距離数を表示することを最も主要な特徴とする。
【考案の効果】
【０００７】
本考案の車両オドメーターは、組立部品を簡略化し、構造が安定し、伝動精密性に影響を与えないという利点がある。
【図面の簡単な説明】
【０００８】
【図１】本考案の車両オドメーターの前面図である。
【図２】本考案の車両オドメーターの俯瞰図である。
【図３】本考案の車両オドメーターの右側側面図である。
【図４】本考案の制御回路の構造アーキテクチャのブロックダイアグラムである。
【図５】本考案の車両オドメーターの距離表示状態参考図である。
【図６】本考案の車両オドメーターの使用配置参考図である。
【考案を実施するための形態】
【０００９】
組立部品を簡略化し、相対して構造を安定させ、更に伝動精密性に影響を与えない車両オドメーター構造を提供することを本考案の主な目的とする。
【００１０】
上述の問題を達成するため、本考案の車両オドメーターは固定フレーム、回転軸及び制御回路を含む。そのうち、回転軸は固定フレーム上に軸設し、固定フレーム内部の相対する一端に永久磁石を固定し、別端にはプラグを連接して伝動ケーブルの連接に供する。制御回路は、回路板上にホール部品IC、一マイクロコントローラー及び一ディスプレイを設置する。
【００１１】
使用時、伝動ケーブルによって永久磁石を動かし、車両の車輪軸に従って回転する。またホール部品ICによって永久磁石の磁極変化をモニタリングし、信号をマイクロコントローラーへ伝送し、マイクロコントローラーの演算を経て走行距離を累計し、ディスプレイによって外へ距離数を表示する。
【００１２】
車両オドメーター全体は、固定フレーム、回転軸及び制御回路によって構成されているので、組立部品全体が相対して簡略化され、更に複雜な機械構造を伝導する必要がなく、相対して安定する。特に伝動ケーブルの相対する回転軸と連接する一端は、ほとんど伝動抵抗力がかからないので、摩擦損傷が大幅に下がり、伝動精密性に影響を与えない。
【実施例】
【００１３】
図１から図４に示すとおり、本考案の車両オドメーター１０は、固定フレーム１１、回転軸１２及び制御回路１３を含む。そのうち、
【００１４】
該固定フレーム１１は、少なくとも一金属部品から構成され、関連部品を設置し、車両オドメーター１０全体を設置するのに用いる。
【００１５】
該回転軸１２は、該固定フレーム１１上に軸設し、該回転軸１２の該固定フレーム１１内部に相対する一端には永久磁石１２１を固定し、別端にはプラグ１２２を連接して伝動ケーブル２０を連接するのに用い、該伝動ケーブル２０が該永久磁石１２１を動かし、車両の車輪軸に従って回転する。
【００１６】
該制御回路１３は、該固定フレーム１０上に設置し、それは回路板１３１上にホール部品IC１３２、マイクロコントローラー１３３、ディスプレイ１３４及び不揮発性メモリ１３６を設置する。ホール部品IC１３２が該永久磁石１２１の磁極変化をモニタリングして信号を該マイクロコントローラー１３３へ伝達し、該マイクロコントローラー１３３の演算によって走行距離を累計し、該ディスプレイ１３４によって現距離数を表示し、同時に該不揮発性メモリ１３６によって距離数を記録して保存する。
【００１７】
実施時、該制御回路１３は、減圧ユニット１４と車両の電源を連接し、該ディスプレイ１３４は、数字型液晶ディスプレイ(図５参照)とする。更に該制御回路１３は更に該回路板１３１上にエンジンオイル指示灯１３５を設置し、走行距離を預定数値まで累計することにより、該マイクロコントローラー１３３が該エンジンオイル指示灯１３５の回路を触発して通じ、エンジンオイルの交換を促す目的を達成する。
【００１８】
該不揮発性メモリ１３６はシリアル式EEPROMでもよく、データ保護の効果を強化する。例としてパスワードが正確な場合のみデータを読み出し（ブラウザ）、もしくはパスワードが正確な場合のみデータに書き込みできる（修正）ことで、距離数が改ざんされるのを防止し、特に内蔵式計測器によってアドレスのデータのアクセス回数を自動記録することができるので、追跡調査することができる。
【００１９】
図６に示すとおり、本考案の車両オドメーター１０を使用する時、伝動ケーブル２０と車両３０の車輪軸３１と共に伝動連接する。即ち、該伝動ケーブル２０が車両オドメーター１０内部の永久磁石１２１を動かして車両の車輪軸３１に従って回転し、該オドメーター１０&#20839;部のホール部品IC１３２が該永久磁石１２１の磁極変化をモニタリングして信号を該マイクロコントローラー１３３へ伝達し、マイクロコントローラー１３３の演算によって走行距離を累計し、ディスプレイ１３４で外へ距離数を表示する。
【００２０】
車両オドメーター１０全体は、固定フレーム１１、回転軸１２及び制御回路１３から構成されるため、車両オドメーター全体１０の組立部品は相対して簡略化され、更に複雜な機械構造によって伝導する必要がなく、相対して安定、信頼できる物となる。特に伝動ケーブル２０は回転軸１２と相対して連接する一端は、ほとんど伝動抵抗力がかからないため、摩擦破損が大幅に減り、伝動精密性に影響を与えない。
【００２１】
上述のとおり、本考案は実行可能な車両オドメーター構造を提供し、法に基づき実用新案登録を申請する。本考案の技術内容及び技術特徴は、上述のとおりであるが、本領域に習熟した者が本考案の提示に基づき、各種の本考案精神から乖離しない入替、修飾をするかもしれない。依って、本考案の保護範囲は、実施例の提示に制限されず、本考案から乖離しない各種の入替及び修飾も以下の請求範囲に含まれるものとする。
【符号の説明】
【００２２】
１０        車両オドメーター
１１        固定フレーム
１２        回転軸
１２１      永久磁石
１２２      プラグ
１３        制御回路
１３１      回路板
１３２      ホール部品IC
１３３      マイクロコントローラー
１３４      ディスプレイ
１３５      エンジンオイル指示灯
１３６      不揮発性メモリ
１４        減圧ユニット
２０      伝動ケーブル
３０      車両
３１      車輪軸
【図１】
0003161380.tif 000003
【図２】
0003161380.tif 000004
【図３】
0003161380.tif 000005
【図４】
0003161380.tif 000006
【図５】
0003161380.tif 000007
【図６】
0003161380.tif 000008